(57)【特許請求の範囲】
【請求項１】
建物の隣接配置される一対の外壁間で、一対の壁板部材が、外壁端縁よりも所定距離後退して貼設されることにより、該壁板部材の両側縁部を所定間隔離間させて突き合わせた目地部の前記外壁端縁間に、スペーサを介挿すると共に、一方の外壁端縁側から、該スペーサを貫通して、他方の外壁まで到達する固定具が少なくとも一対斜めに設けられて上面視クロス状に固定されることを特徴とする外壁目地構造。
【請求項２】
前記目地部に跨ってタイルが貼設されることを特徴とする請求項１記載の外壁目地構造。
【請求項３】
前記建物は、複数の建物ユニットが組み合わされてなるユニット建物であると共に、前記外壁は、隣接配置される建物ユニットに設けられていることを特徴とする請求項１又は２記載の外壁目地構造。
【請求項４】
前記外壁端縁よりも所定距離後退して貼設される壁板部材の側縁部と、前記外壁端縁間に跨って貼設される塞ぎ壁板部材との間に、目地テープを貼設することを特徴とする請求項１乃至３のうち少なくともいづれか一項記載の外壁目地構造。
【請求項５】
建物の隣接配置される一対の外壁間で、一対の壁板部材が、外壁端縁よりも所定距離後退して貼設されることにより、該壁板部材の両側縁部を所定間隔離間させて突き合わせた目地部の前記外壁端縁間に、スペーサを介挿すると共に、一方の外壁端縁側から、該スペーサを貫通して、他方の外壁まで到達するように一対の固定具を斜めに貫通させて、上面視クロス状に固定することを特徴とする外壁目地施工方法。
【発明の詳細な説明】
【０００１】
【発明の属する技術分野】
この発明は、ユニット住宅等、建築物の隣接配置された建物ユニット間或いは外壁部材の突き合わせ部分を塞ぐ外壁目地構造及び外壁目地施工方法に関するものである。
【０００２】
【従来の技術】
従来のユニット住宅等、建築物では、図１５に示すように、複数の建物ユニット２，２が隣接配置されて、ユニット建物１が構成されている。
【０００３】
このようなものでは、外壁を構成する一対の壁板部材３，３間に、目地部４が形成されている。
【０００４】
隣接配置された建物ユニット２，２間の接合は、図１６に示す特公平５−３８１０２号公報に記載されたような板金製接続具５を用いたものが知られている。
【０００５】
このようなものでは、壁板部材３，３の上面に、板金製接続具５を掛け渡し、複数の釘６…を用いて建物ユニット２，２間を固着する様に構成されている。
【０００６】
次に、この従来の建築物の作用について説明する。
【０００７】
このように構成された従来のものでは、前記板金製接続具５によって壁板部材３，３が接合されるので、所定の厚みを有する木製の頭つなぎ材に比べて、これらの建物ユニット２，２の上に載置される上階建物ユニットの天井高さを高く設定することが出来る。
【０００８】
【発明が解決しようとする課題】
しかしながら、このような従来の外壁の目地構造では、以下のような問題点があった。
【０００９】
すなわち、図１５中二点鎖線に示すように、隣接配置された建物ユニット２，２に外力が作用することにより、壁板部材３，３間の目地部４に、面内剪断応力が加わることがある。
【００１０】
このため、目地部４に、跨って装飾用のタイル等を貼設してある場合には、この剪断応力によって生じる面内剪断変位を抑制しなければならない。
【００１１】
そこで、本発明の目的は、上記の問題点を解消し、面内剪断変位を抑制して、外観品質を良好に保持できる外壁目地構造及び外壁目地施工方法を提供することを目的としている。
【００１２】
【課題を解決するための手段】
上記課題を解決するために、請求項１に記載された発明では、建物の隣接配置される一対の外壁間で、一対の壁板部材が、外壁端縁よりも所定距離後退して貼設されることにより、該壁板部材の両側縁部を所定間隔離間させて突き合わせた目地部の前記外壁端縁間に、スペーサを介挿すると共に、一方の外壁端縁側から、該スペーサを貫通して、他方の外壁まで到達する固定具が少なくとも一対斜めに設けられて上面視クロス状に固定される外壁目地構造を特徴としている。
【００１３】
このように構成された請求項１記載の外壁目地構造では、前記一方の外壁端縁から他方の外壁まで到達するように、前記スペーサを貫通して前記一対の固定具が上面視クロス状に、前記目地部に設けられているので、該目地部に面内剪断方向の応力が加わっても、すくなくとも一方の固定具が、外壁間の相対移動を阻止し、面内剪断変位が抑制される。
【００１４】
また、請求項２に記載されたものでは、前記目地部に跨ってタイルが貼設される請求項１記載の外壁目地構造を特徴としている。
【００１５】
このように構成された請求項２記載のものでは、前記スペーサを貫通する一対の固定具が上面視クロス状に、前記目地部に設けられているので、面内剪断変位が抑制される。
【００１６】
このため、前記目地部に跨ってタイルが、貼設されていても、脱落や割れを生じることがない。
【００１７】
そして、請求項３に記載されたものでは、前記建物は、複数の建物ユニットが組み合わされてなるユニット建物であると共に、前記外壁は、隣接配置される建物ユニットに設けられている請求項１又は２記載の外壁目地構造を特徴としている。
【００１８】
このように構成された請求項３記載のものでは、前記外壁に予め工場等内で、タイルを貼設し、施工現場で建物ユニットを隣接配置した後、目地部に、前記外壁に貼設されたタイルと略同一のタイルを貼設することにより、施工現場での工数を減少させて、短期間で、略全域に渡り均質の外壁が得られる。
【００１９】
更に、請求項４に記載されたものでは、前記外壁端縁よりも所定距離後退して貼設される壁板部材の側縁部と、前記外壁端縁間に跨って貼設される塞ぎ壁板部材との間に、目地テープを貼設する請求項１乃至３のうち少なくともいづれか一項記載の外壁目地構造を特徴としている。
【００２０】
このように構成された請求項４記載のものでは、前記壁板部材の側縁部と前記塞ぎ壁板部材との間に目地テープが貼設される。目地テープは薄く、比較的、前記壁板部材に予め塗布された塗装の厚みと合わせやすいので、凹凸量を減少させて、前記タイル等を該目地部に跨らせて貼設しやすい。
【００２１】
このため、更に、外観品質を向上させることが出来る。
【００２２】
また、請求項５に記載されたものでは、建物の隣接配置される一対の外壁間で、一対の壁板部材が、外壁端縁よりも所定距離後退して貼設されることにより、該壁板部材の両側縁部を所定間隔離間させて突き合わせた目地部の前記外壁端縁間に、スペーサを介挿すると共に、一方の外壁端縁側から、該スペーサを貫通して、他方の外壁まで到達するように一対の固定具を斜めに貫通させて、上面視クロス状に固定する外壁目地施工方法を特徴としている。
【００２３】
このように構成された請求項５記載のものでは、一対の固定具が、目地部の外壁端縁から前記壁板部材が後退して貼設された部分を利用して貫通されているので、該目地部の外壁端縁を覆うように、該固定具の上から例えば、塞ぎ壁板部材を貼設することにより、前記固定具を隠すことが出来、外観品質を良好なものとする事が出来る。
【００２４】
【発明の実施の形態１】
以下、本発明の具体的な実施の形態１について、図示例と共に説明する。なお、前記従来例と同一乃至均等な部分については同一符号を付して説明する。
【００２５】
図１乃至図１４は、この発明の実施の形態１の外壁目地構造及び外壁目地施工方法を示すものである。
【００２６】
まず、構成から説明すると、この実施の形態１では、図６に示すように、建築物としてのユニット建物１０を構成する隣接配置された建物ユニット１１，１１の各外壁面部１１ａ，１１ａには、各々壁板部材１２，１２が、一対装着されている。
【００２７】
この一対の壁板部材１２，１２間には、図８に示すように、外壁端縁１１ｂ，１１ｂよりも所定距離ｗ１後退して貼設されることにより、これらの壁板部材１２，１２の間に、この壁板部材１２，１２の両側縁部１２ａ，１２ａを所定間隔ｗ離間させて突き合わせてなる目地部１３が形成されている。
【００２８】
この目地部１３の外壁端縁１１ｂから前記壁板部材１２が後退して貼設された凹部１１ｃ，１１ｃには、水平断面略Ｌ字状を呈する合成樹脂製の防水シート部材９，９が添着されている。
【００２９】
また、この外壁端縁１１ｂ，１１ｂには、前記壁板部材１２と略同一厚みを有する塞ぎ壁板部材１４が、跨るように貼設されている。
【００３０】
更に、この実施の形態１では、予め工場内にて、塞ぎ壁板部材１４の表面及び壁板部材１２の表面に、アクリルエマルジョン塗装の平吹き層１５が設けられている。そして、この壁板部材１２の平吹き層１５の表面には、図示省略のタイルが複数貼設されている。
【００３１】
また、前記外壁端縁１１ｂ，１１ｂ間には、図５に示すような所定厚みを有する木製スペーサ８が介挿される。
【００３２】
次に、この実施の形態１の外壁目地構造及び外壁目地施工方法の作用について、図７に示すフローチャートの施工順序に沿って図１乃至図１４を用いて説明する。
【００３３】
このように構成されたこの実施の形態１の外壁目地構造及び外壁目地施工方法では、まず、図１に示すように、予め工場内にて、予め建物ユニット１１の外壁面部１１ａに、壁板部材１２が貼設される。
【００３４】
次に、図２に示すように、予め工場内にて、基材１６の表面及び壁板部材１２の表面に渡り、表面が略平坦となるように、アクリルエマルジョン塗装の平吹き層１９が吹き付け塗装されて、乾燥されると共に、装飾用のタイルが複数貼設される。
【００３５】
そして、施工現場まで搬送されたこれらの建物ユニット１１，１１は、図１乃至図４に示すように外壁端縁１１ｂ，１１ｂを突き合わせて隣接配置される。
【００３６】
この際、この一対の壁板部材１２，１２の側縁部１２ａ，１２ａが、高さ方向で略一致するように隣接配置される。
【００３７】
まず、Ｓｔｅｐ１では、この目地部１３の外壁端縁１１ｂ，１１ｂ間には、前記木製スペーサ８，８が、上下方向に沿って所定間隔を置いて介挿され、Ｓｔｅｐ２では、ユニット間壁上の防水施工が行われる。
【００３８】
そして、Ｓｔｅｐ３では、前記防水シート部材９，９の上から、固定具としての釘６…が打ち込まれてスタッドの縫い合わせ固定が行われる。
【００３９】
これらの釘６…は、前記一方の外壁端縁１１ｂ側から、前記木製スペーサ８を貫通して、他方の外壁端縁１１ｂまで到達するように、左右複数対、斜めに設けられて上面視クロス状を呈するように固定される。
【００４０】
Ｓｔｅｐ４では、ユニット間水切りテープ７の貼設施工が、図８に示すように行われる。
【００４１】
Ｓｔｅｐ５では、図９及び図１０に示すように、この目地部１３の外壁端縁１１ｂ，１１ｂ間には、前記壁板部材１２と略同一厚みを有する塞ぎ壁板部材１４が跨るように貼設される。
【００４２】
そして、図１１及び図１２に示すように、この実施の形態１の壁板部材１２には、その側縁部１２ａの表面側及び、前記塞ぎ壁板部材１４の両側縁部１４ａ，１４ａには、非塗装部２０，２１が各々形成されている。
【００４３】
Ｓｔｅｐ６では、図１１に示すように、前記側縁部１２ａ，１２ａと前記塞ぎ壁板部材１４の両側縁部１４ｂ，１４ｂとの間に形成された間隙に、ガスケット部材２３，２３が各々埋設装着される。
【００４４】
Ｓｔｅｐ７では、図１２に示すようにこのガスケット部材２３，２３の上から前記壁板部材１２の非塗装部２０と、前記塞ぎ壁板部材１４の非塗装部２１との間に、跨るように目地テープ２４，２４が貼設される。この際、押付用ローラで、しわがよらないように押さえつけられる。
【００４５】
Ｓｔｅｐ８では、目地テープ２４が貼られていない前記非塗装部２０，２１に、チューブ入りタッチアップ塗料２７が塗布されて、ゴムヘラ等により平坦にならされる。
【００４６】
このように、前記壁板部材１２の側縁部１２ａの表面及び、前記塞ぎ壁板部材１４の両側縁部に形成された非塗装部２０，２１に目地テープ２４，２４が貼設されるので、目地テープ２４，２４の厚みが、前記塗装層２５，２６の厚みによって緩和されて凹凸量が減少されている。
【００４７】
このため、目地部１３であっても、タッチアップ塗料２７を用いることにより比較的容易に、略平坦な外壁を得られて、外観品質を向上させることが出来る。
【００４８】
更に、目地テープ２４，２４の貼設による凹凸量が、非塗装部２０，２１によって減少されるので、外壁の仕上げ工程を簡略化出来、工期を短縮することが出来る。
【００４９】
Ｓｔｅｐ９では、モールディング施工が行われると共に、Ｓｔｅｐ１０では、図１４に示すように、前記目地部１３に跨ってタイル３０…が貼設される。
【００５０】
上述してきたように、前記一方の外壁端縁１１ｂから他方の外壁端縁１１ｂまで到達するように、前記木製スペーサ８を貫通して前記複数対の釘６，６が、上面視クロス状に、前記目地部１３に設けられている。
【００５１】
このため、この目地部１３に面内剪断方向の応力が加わっても、すくなくとも一方の釘６が、くさび状に他方の外壁端縁１１ｂに刺さることにより、外壁面部１１ａ，１１ａ間の相対移動を阻止し、面内剪断変位が抑制される。
【００５２】
また、前記木製スペーサ８を貫通する左右対の釘６，６が上面視クロス状に、前記目地部１３に設けられているので、面内剪断変位が抑制され面内外方向に段差が発生する虞が少ない。
【００５３】
このため、前記目地部１３、特に、この実施の形態１では、ガスケット２３介挿部分の目地テープ２４の上に跨ってタイル３０が、貼設されていても、脱落や割れを生じることがない。
【００５４】
そして、前記外壁の壁板部材１２，１２に予め工場等内で、タイル３０…を貼設し、施工現場で建物ユニット１１，１１を隣接配置した後、目地部１３に、前記外壁に貼設されたタイル３０と略同一のタイル３０を貼設することにより、施工現場での工数を減少させて、短期間で、略全域に渡り均質の外壁が得られる。
【００５５】
更に、前記壁板部材１２の側縁部１２ａと前記塞ぎ壁板部材１４との間に目地テープ２４が貼設される。目地テープ２４は薄く、比較的、前記壁板部材１２に予め塗布された塗装の厚みと合わせやすいので、凹凸量を減少させて、前記タイル３０等をこの目地部１３に跨らせて貼設しやすい。
【００５６】
このため、更に、外観品質を向上させることが出来る。
【００５７】
また、複数対の釘６，６が、目地部１３の外壁端縁１１ｂ，１１ｂから前記壁板部材１２，１２が後退して貼設された凹部１１ｃを利用して貫通されている。このため、この目地部１３の外壁端縁１１ｂ，１１ｂを覆うように、これらの釘６，６の上から、塞ぎ壁板部材１４を貼設することにより、前記釘６，６を隠すことが出来、外観品質を良好なものとする事が出来る。
【００５８】
以上、この発明の実施の形態１を図面により詳述してきたが、具体的な構成はこの実施の形態１に限らず、この発明の要旨を逸脱しない範囲の設計の変更等があってもこの発明に含まれる。
【００５９】
例えば、前記実施の形態１では、建物ユニット１１，１１を複数組み合わせて構成されるユニット建物１０に外壁目地構造及び外壁目地施工方法を適用したものを示して説明してきたが、特にこれに限らず、他のプレハブ工法或いは、在来木造建築物であっても、一対の外壁間に、目地部が形成されるものであるならばよいことは当然である。
【００６０】
【発明の効果】
以上説明してきたように、請求項１の発明によれば、前記一方の外壁端縁から他方の外壁まで到達するように、前記スペーサを貫通して前記一対の固定具が上面視クロス状に、前記目地部に設けられているので、該目地部に面内剪断方向の応力が加わっても、すくなくとも一方の固定具が、外壁間の相対移動を阻止し、面内剪断変位が抑制される。
【００６１】
また、請求項２に記載されたものでは、前記スペーサを貫通する一対の固定具が上面視クロス状に、前記目地部に設けられているので、面内剪断変位が抑制される。
【００６２】
このため、前記目地部に跨ってタイルが、貼設されていても、脱落や割れを生じることがない。
【００６３】
そして、請求項３に記載されたものでは、前記外壁に予め工場等内で、タイルを貼設し、施工現場で建物ユニットを隣接配置した後、目地部に、前記外壁に貼設されたタイルと略同一のタイルを貼設することにより、施工現場での工数を減少させて、短期間で、略全域に渡り均質の外壁が得られる。
【００６４】
更に、請求項４に記載されたものでは、前記壁板部材の側縁部と前記塞ぎ壁板部材との間に目地テープが貼設される。目地テープは薄く、比較的、前記壁板部材に予め塗布された塗装の厚みと合わせやすいので、凹凸量を減少させて、前記タイル等を該目地部に跨らせて貼設しやすい。
【００６５】
このため、更に、外観品質を向上させることが出来る。
【００６６】
また、請求項５に記載されたものでは、一対の固定具が、目地部の外壁端縁から前記壁板部材が後退して貼設された部分を利用して貫通されているので、該目地部の外壁端縁を覆うように、該固定具の上から例えば、塞ぎ壁板部材を貼設することにより、前記固定具を隠すことが出来、外観品質を良好なものとする事が出来る、という実用上有益な効果を発揮し得る。
【図面の簡単な説明】
【図１】本発明の実施の形態１の外壁目地構造及び外壁目地施工方法で、図２中Ｃ−Ｃ線に沿った位置での水平断面図である。
【図２】実施の形態１の外壁目地構造及び外壁目地施工方法で、ユニット建物の全体の構成を説明する分解斜視図である。
【図３】実施の形態１の外壁目地構造及び外壁目地施工方法で、図２中Ｄ−Ｄ線に沿った位置での断面図である。
【図４】実施の形態１の外壁目地構造及び外壁目地施工方法で、目地部の正面図ある。
【図５】実施の形態１の外壁目地構造及び外壁目地施工方法に用いられる木製スペーサの斜視図である。
【図６】実施の形態１の外壁目地構造及び外壁目地施工方法が適用されるユニット建物の平面図である。
【図７】実施の形態１の外壁目地施工方法の手順を示すフローチャート図である。
【図８】実施の形態１の外壁目地構造及び外壁目地施工方法で、ユニット間水切りテープを貼設した目地部の斜視図である。
【図９】実施の形態１の外壁目地構造及び外壁目地施工方法で、塞ぎ壁板部材を貼設する様子を説明する斜視図である。
【図１０】実施の形態１の外壁目地構造及び外壁目地施工方法で、塞ぎ壁板部材を貼設する様子を説明する図９中Ａ−Ａ線に沿った位置での断面図である。
【図１１】実施の形態１の外壁目地構造及び外壁目地施工方法で、目地材を装着する様子を説明する斜視図である。
【図１２】実施の形態１の外壁目地構造及び外壁目地施工方法で、目地テープを貼設する様子を説明する斜視図である。
【図１３】実施の形態１の外壁目地構造及び外壁目地施工方法で、タッチアップ塗料を塗布した目地部の斜視図である。
【図１４】実施の形態１の外壁目地構造及び外壁目地施工方法で、タイルを貼設した目地部の水平方向断面図である。
【図１５】従来例のユニット建物で、面内剪断変位を説明する模式図である。
【図１６】従来例のユニット建物で、建物ユニット間の接合を説明する斜視図である。
【符号の説明】
６                      釘（固定具）
８                      木製スペーサ（スペーサ）
１０                    ユニット建物（建物）
１１ａ                  外壁面部（壁面部）
１１ｂ                  外壁端縁
１２                    壁板部材
１２ａ                  側縁部
１３                    目地部
１４                    塞ぎ壁板部材
２４                    目地テープ
３０                    タイル
【図１】
0004527856.tif 000002
【図２】
0004527856.tif 000003
【図３】
0004527856.tif 000004
【図４】
0004527856.tif 000005
【図５】
0004527856.tif 000006
【図６】
0004527856.tif 000007
【図７】
0004527856.tif 000008
【図８】
0004527856.tif 000009
【図９】
0004527856.tif 000010
【図１０】
0004527856.tif 000011
【図１１】
0004527856.tif 000012
【図１２】
0004527856.tif 000013
【図１３】
0004527856.tif 000014
【図１４】
0004527856.tif 000015
【図１５】
0004527856.tif 000016
【図１６】
0004527856.tif 000017